(57)【要約】      （修正有）【課題】付加荷重に起因する圧縮強度に耐えることができる剛性支持体が、密封されたポケット内に設けられたスプリングの一部領域に一体に形成されることにより、スプリングの変形を防止しかつスプリングの耐久性を向上させることができるマットレス用ポケットスプリングを提供する。【解決手段】マットレス用ポケットスプリング１０は、織物地から形成されるポケット１４内に設けられたスプリング１２の一部領域に、荷重に起因する圧縮強度に耐えることができる別途の剛性支持体３０が一体に形成されていることにより、大きい荷重及び小さい荷重が不規則に繰り返しスプリング１２に集中する場合であっても、スプリング１２の変形を容易に防止することができ、これにより、スプリング１２の耐久性を向上させることができ、さらにはマットレスの品質を向上させることができる。【選択図】図１ａ
2012086000.tif 000002
【特許請求の範囲】
【請求項１】
所定回数巻回する本体スプリング２０と、本体スプリング２０の上部及び下部にそれぞれ一体に連結される上端スプリング２４及び下端スプリング２８とを含むスプリング１２と、
スプリング１２内に設けられ、かつスプリング１２を密封するポケット１４と、
付加荷重に起因する圧縮強度に耐え、かつスプリング１２の本体スプリング２０の一部領域に一体に形成される剛性支持体３０と、
を含む、マットレス用ポケットスプリング。
【請求項２】
剛性支持体３０は、垂直に配置された状態で、上端スプリング２４に連結される本体スプリング２０の最上端巻線２２にのみ一体に形成される、請求項１に記載のマットレス用ポケットスプリング。
【請求項３】
剛性支持体３０は、上端及び下端が鈍角または鋭角に折り曲げられて傾斜した状態で、上端スプリング２４に連結される本体スプリング２０の最上端巻線２２にのみ一体に形成される、請求項１に記載のマットレス用ポケットスプリング。
【請求項４】
剛性支持体３０は、垂直に配置された状態で、下端スプリング２８に連結される本体スプリング２０の最下端巻線２６にのみ一体に形成される、請求項１に記載のマットレス用ポケットスプリング。
【請求項５】
剛性支持体３０は、上端及び下端が鈍角または鋭角に折り曲げられて傾斜した状態で、下端スプリング２８に連結される本体スプリング２０の最下端巻線２６にのみ一体に形成される、請求項１に記載のマットレス用ポケットスプリング。
【請求項６】
剛性支持体３０は、
垂直に配置された状態で、上端スプリング２４に連結される本体スプリング２０の最上端巻線２２に一体に形成される第１剛性支持体３０ａと、
垂直に配置された状態で、下端スプリング２８に連結される本体スプリング２０の最下端巻線２６に一体に形成される第２剛性支持体３０ｂと、
を含む、請求項１に記載のマットレス用ポケットスプリング。
【請求項７】
剛性支持体３０は、
上端及び下端が鈍角または鋭角に折り曲げられて傾斜した状態で、上端スプリング２４に連結される本体スプリング２０の最上端巻線２２に一体に形成される第１剛性支持体３０ａと、
上端及び下端が鈍角または鋭角に折り曲げられて傾斜した状態で、下端スプリング２８に連結される本体スプリング２０の最下端巻線２６に一体に形成される第２剛性支持体３０ｂと、
を含む、請求項１に記載のマットレス用ポケットスプリング。
【請求項８】
剛性支持体３０は、垂直に配置された状態で、本体スプリング２０の中間巻線２５に一体に形成される、請求項１に記載のマットレス用ポケットスプリング。
【請求項９】
剛性支持体３０は、上端及び下端が鈍角または鋭角に折り曲げられて傾斜した状態で、本体スプリング２０の中間巻線２５に一体に形成される、請求項１に記載のマットレス用ポケットスプリング。
【請求項１０】
剛性支持体３０は、垂直に配置された状態で、本体スプリング２０の中間巻線２５と最上端巻線２２とが連結される領域にのみ一体に形成される、請求項１に記載のマットレス用ポケットスプリング。
【請求項１１】
剛性支持体３０は、上端及び下端が鈍角または鋭角に折り曲げられて傾斜した状態で、本体スプリング２０の中間巻線２５と最上端巻線２２とが連結される領域にのみ一体に形成される、請求項１に記載のマットレス用ポケットスプリング。
【請求項１２】
剛性支持体３０は、垂直に配置された状態で、本体スプリング２０の中間巻線２５と最下端巻線２６とが連結される領域にのみ一体に形成される、請求項１に記載のマットレス用ポケットスプリング。
【請求項１３】
剛性支持体３０は、上端及び下端が鈍角または鋭角に折り曲げられて傾斜した状態で、本体スプリング２０の中間巻線２５と最下端巻線２６とが連結される領域にのみ一体に形成される、請求項１に記載のマットレス用ポケットスプリング。
【請求項１４】
剛性支持体３０は、
垂直に配置された状態で、本体スプリング２０の中間巻線２５と最上端巻線２２とが連結される領域に一体に形成される第１剛性支持体３０ａと、
垂直に配置された状態で、本体スプリング２０の中間巻線２５と最下端巻線２６とが連結される領域に一体に形成される第２剛性支持体３０ｂと、
を含む、請求項１に記載のマットレス用ポケットスプリング。
【請求項１５】
剛性支持体３０は、
上端及び下端が鈍角または鋭角に折り曲げられて傾斜した状態で、本体スプリング２０の中間巻線２５と最上端巻線２２とが連結される領域に形成される第１剛性支持体３０ａと、
上端及び下端が鈍角または鋭角に折り曲げられて傾斜した状態で、本体スプリング２０の中間巻線２５と最下端巻線２６とが連結される領域に形成される第２剛性支持体３０ｂと、
を含む、請求項１に記載のマットレス用ポケットスプリング。
【発明の詳細な説明】
【技術分野】
【０００１】
本発明は、マットレス用ポケットスプリングに関する。より詳しくは、本発明は、付加荷重に起因する圧縮強度に耐えることができる剛性支持体がさらに、密封されたポケット内に設けられたスプリングの一部領域に一体に形成されることにより、スプリングの変形を防止し、かつ、スプリングの耐久性を向上させることができるマットレス用ポケットスプリングを提供する。
【背景技術】
【０００２】
通常、ポケットスプリングを含むマットレスは、寝具（ベッド）のフレームなどに搭載されてクッション力及び緩衝力を提供する。マットレスの構造及び製造工程を、図１５ｃを参照して説明する。
【０００３】
マットレスを製造する工程は、織物地で形成されたポケット１４内に単一スプリング１２を設けポケット１４内にスプリング１２を密封する各ポケットスプリング１０を複数備える工程と、マットレスの領域全体にわたって複数のポケットスプリング１０を一定間隔で配列する工程と、ポケットスプリング１０の上方に中間部材１６としてエアバンドフォーム、メモリーフォーム、フェルト及び不織布などを含む多層クッション手段を連続して積層する工程と、ポケットスプリング１０及び中間部材１６をカバー部材１８で覆った後、カバー部材１８の継ぎ目を縫合手段により縫合処理する工程とを含む。
【０００４】
以下、マットレスに用いられる従来のポケットスプリングを説明する。
【０００５】
図１５ａ及び図１５ｂは、従来のポケットスプリングの一例を示す斜視図及び側面図である。
【０００６】
図１５ａ及び図１５ｂに示すように、従来のポケットスプリングは、織物地で形成されたポケット１４と、このポケット１４内に設けられ、かつポケット１４内に密封されたスプリング１２とを含む。
【０００７】
スプリング１２は、中央部から上部及び下部に向かってその直径が次第に小さくなるコイル形態を有する本体スプリング２０と、本体スプリング２０の最上端巻線２２の終端部で巻きながら水平に広がる上端スプリング２４と、本体スプリング２０の最下端巻線２６の終端部で巻きながら水平に広がる下端スプリング２８とを含む。
【０００８】
しかしながら、従来のスプリング１２を用いて上記ポケットスプリングを製造し、このポケットスプリングを寝具（ベッド）用マットレスなどに取り付けた場合、以下の欠点が生じる。
【０００９】
マットレスに付加される荷重は最初に中間部材１６で吸収された後、各ポケットスプリング１０のスプリング１２で最終的に吸収される。すなわち、大きい荷重及び小さい荷重がすべて、スプリング１２の本体スプリング２０で最終的に吸収される。
【００１０】
この方法において、異なる荷重が各ポケットスプリング１０の本体スプリング２０に不規則に集中すると、ポケット１４内に設けられた本体スプリング２０が容易に変形することがあり、また、各スプリング１２の変形により、隣接するポケットスプリング１０同士が接触することで騒音が発生する。
【００１１】
また、従来のポケットスプリング内のスプリングは、弾性圧縮強度を強化させるための別途の手段を備えていないため、スプリングが容易に圧縮変形されるとともに、寝具（ベッド）の弾性力が大きくなりすぎて、寝具の寝心地が悪くなる。
【発明の概要】
【発明が解決しようとする課題】
【００１２】
本発明は、織物地から形成されるポケット内に設けられたスプリングの一部領域に、荷重に起因する圧縮強度に耐えることができる別途の剛性支持体が一体に形成されていることにより、大きい荷重及び小さい荷重が不規則に繰り返しスプリングに集中する場合であっても、スプリングの変形を容易に防止することができ、これにより、スプリングの耐久性を向上させることができ、さらにはマットレスの品質を向上させることができる、マットレス用ポケットスプリングを提供する。
【課題を解決するための手段】
【００１３】
上記のような目的を達成するために、本発明は、所定回数巻回する本体スプリングと、本体スプリングの上部及び下部にそれぞれ一体に連結される上端スプリング及び下端スプリングとを含むスプリングと、スプリング内に設けられかつスプリングを密封するポケットと、付加荷重に起因する圧縮強度に耐え、かつスプリングの本体スプリングの一部領域に一体に形成される剛性支持体と、を含む、マットレス用ポケットスプリングを提供する。
【００１４】
好ましい一実施態様では、上記剛性支持体は、垂直に配置された状態で、上端スプリングに連結される本体スプリングの最上端巻線にのみ一体に形成される。
【００１５】
好ましい他の実施態様では、上記剛性支持体は、上端及び下端が鈍角または鋭角に折り曲げられて傾斜した状態で、上端スプリングに連結される本体スプリングの最上端巻線にのみ一体に形成される。
【００１６】
好ましいまた他の実施態様では、上記剛性支持体は、垂直に配置された状態で、下端スプリングに連結される本体スプリングの最下端巻線にのみ一体に形成される。
【００１７】
好ましいまた他の実施態様では、上記剛性支持体は、上端及び下端が鈍角または鋭角に折り曲げられて傾斜した状態で、下端スプリングに連結される本体スプリングの最下端巻線にのみ一体に形成される。
【００１８】
好ましいまた他の実施態様では、上記剛性支持体は、垂直に配置された状態で、上端スプリングに連結される本体スプリングの最上端巻線に一体に形成される第１剛性支持体と、垂直に配置された状態で、下端スプリングに連結される本体スプリングの最下端巻線に一体に形成される第２剛性支持体と、を含む。
【００１９】
好ましいまた他の実施態様では、上記剛性支持体は、上端及び下端が鈍角または鋭角に折り曲げられて傾斜した状態で、上端スプリングに連結される本体スプリングの最上端巻線に一体に形成される第１剛性支持体と、上端及び下端が鈍角または鋭角に折り曲げられて傾斜した状態で、下端スプリングに連結される本体スプリングの最下端巻線に一体に形成される第２剛性支持体と、を含む。
【００２０】
好ましいまた他の実施態様では、上記剛性支持体は、垂直に配置された状態で、本体スプリングの中間巻線に一体に形成されることを特徴とする。
【００２１】
好ましいまた他の実施態様では、上記剛性支持体は、上端及び下端が鈍角または鋭角に折り曲げられて傾斜した状態で、本体スプリングの中間巻線に一体に形成される。
【００２２】
好ましいまた他の実施態様では、上記剛性支持体は、垂直に配置された状態で、本体スプリングの中間巻線と最上端巻線とが連結される領域にのみ一体に形成される。
【００２３】
好ましいまた他の実施態様では、上記剛性支持体は、上端及び下端が鈍角または鋭角に折り曲げられて傾斜した状態で、本体スプリングの中間巻線と最上端巻線とが連結される領域にのみ一体に形成される。
【００２４】
好ましいまた他の実施態様では、上記剛性支持体は、垂直に配置された状態で、本体スプリングの中間巻線と最下端巻線とが連結される領域にのみ一体に形成される。
【００２５】
好ましいまた他の実施態様では、上記剛性支持体は、上端及び下端が鈍角または鋭角に折り曲げられて傾斜した状態で、本体スプリングの中間巻線と最下端巻線とが連結される領域にのみ一体に形成される。
【００２６】
好ましいまた他の実施態様では、上記剛性支持体は、垂直に配置された状態で、本体スプリングの中間巻線と最上端巻線とが連結される領域に一体に形成される第１剛性支持体と、垂直に配置された状態で、本体スプリングの中間巻線と最下端巻線とが連結される領域に一体に形成される第２剛性支持体と、を含む。
【００２７】
好ましいまた他の実施態様では、上記剛性支持体は、上端及び下端が鈍角または鋭角に折り曲げられて傾斜した状態で、本体スプリングの中間巻線と最上端巻線とが連結される領域に形成される第１剛性支持体と、上端及び下端が鈍角または鋭角に折り曲げられて傾斜した状態で、本体スプリングの中間巻線と最下端巻線とが連結される領域に形成される第２剛性支持体と、を含む。
【発明の効果】
【００２８】
本発明は、上記課題を解決するための手段により次のような効果を提供する。
【００２９】
本発明のポケットスプリングによれば、織物地で形成されたポケット内に設けられかつポケット内に密封されたスプリングの一部領域に、付加された荷重に起因する圧縮強度に耐えることができる別途の剛性支持体が一体に形成されることにより、小さい荷重がマットレスに付加された場合、スプリングが剛性支持体によって圧縮されることがなく、中間部材だけでクッション力を提供できるようにし、かつ、大きい荷重が付加された場合、スプリングが直接圧縮されてクッション力を提供することにより、使用者に良好な弾性及び快適性を提供するとともに、スプリングの変形を防止することができる。
【００３０】
すなわち、マットレスに小さい荷重（使用者が寝返りを打つ程度の荷重）が付加された場合、小さい荷重がスプリングに伝達するのを剛性支持体が遮断して、中間部材で衝撃を緩衝／吸収し、大きい荷重（使用者が急になどの荷重）が付加された場合、大きい荷重が剛性支持体によってスプリングに伝達されて、ポケット内のスプリングでその衝撃を緩衝／吸収することができる。
【００３１】
このように、本発明の剛性支持体によって大きい荷重及び小さい荷重が分散され、ポケット内のスプリングが圧縮されることにより、スプリングの変形を防止することができ、かつスプリングの耐久性向上を図ることができる。
【図面の簡単な説明】
【００３２】
【図１ａ】本発明の第１実施形態に係るマットレス用ポケットスプリングを示す斜視図である。
【図１ｂ】本発明の第１実施形態に係るマットレス用ポケットスプリングを示す側断面図である。
【図１ｃ】本発明の第１実施形態に係るマットレス用ポケットスプリングが適用されたマットレスの構造を示す一部断面斜視図である。
【図２ａ】本発明の第２実施形態に係るマットレス用ポケットスプリングを示す斜視図である。
【図２ｂ】本発明の第２実施形態に係るマットレス用ポケットスプリングを示す側断面図である。
【図２ｃ】本発明の第２実施形態に係るマットレス用ポケットスプリングが適用されたマットレスの構造を示す一部断面斜視図である。
【図３ａ】本発明の第３実施形態に係るマットレス用ポケットスプリングを示す斜視図である。
【図３ｂ】本発明の第３実施形態に係るマットレス用ポケットスプリングを示す側断面図である。
【図３ｃ】本発明の第３実施形態に係るマットレス用ポケットスプリングが適用されたマットレスの構造を示す一部断面斜視図である。
【図４ａ】本発明の第４実施形態に係るマットレス用ポケットスプリングを示す斜視図である。
【図４ｂ】本発明の第４実施形態に係るマットレス用ポケットスプリングを示す側断面図である。
【図４ｃ】本発明の第４実施形態に係るマットレス用ポケットスプリングが適用されたマットレスの構造を示す一部断面斜視図である。
【図５ａ】本発明の第５実施形態に係るマットレス用ポケットスプリングを示す斜視図である。
【図５ｂ】本発明の第５実施形態に係るマットレス用ポケットスプリングを示す側断面図である。
【図５ｃ】本発明の第５実施形態に係るマットレス用ポケットスプリングが適用されたマットレスの構造を示す一部断面斜視図である。
【図６ａ】本発明の第６実施形態に係るマットレス用ポケットスプリングを示す斜視図である。
【図６ｂ】本発明の第６実施形態に係るマットレス用ポケットスプリングを示す側断面図である。
【図６ｃ】本発明の第６実施形態に係るマットレス用ポケットスプリングが適用されたマットレスの構造を示す一部断面斜視図である。
【図７ａ】本発明の第７実施形態に係るマットレス用ポケットスプリングを示す斜視図である。
【図７ｂ】本発明の第７実施形態に係るマットレス用ポケットスプリングを示す側断面図である。
【図７ｃ】本発明の第７実施形態に係るマットレス用ポケットスプリングが適用されたマットレスの構造を示す一部断面斜視図である。
【図８ａ】本発明の第８実施形態に係るマットレス用ポケットスプリングを示す斜視図である。
【図８ｂ】本発明の第８実施形態に係るマットレス用ポケットスプリングを示す側断面図である。
【図８ｃ】本発明の第８実施形態に係るマットレス用ポケットスプリングが適用されたマットレスの構造を示す一部断面斜視図である。
【図９ａ】本発明の第９実施形態に係るマットレス用ポケットスプリングを示す斜視図である。
【図９ｂ】本発明の第９実施形態に係るマットレス用ポケットスプリングを示す側断面図である。
【図９ｃ】本発明の第９実施形態に係るポケットスプリングが適用されたマットレスの構造を示す一部断面斜視図である。
【図１０ａ】本発明の第１０実施形態に係るマットレス用ポケットスプリングを示す斜視図である。
【図１０ｂ】本発明の第１０実施形態に係るマットレス用ポケットスプリングを示す側断面図である。
【図１０ｃ】本発明の第１０実施形態に係るポケットスプリングが適用されたマットレスの構造を示す一部断面斜視図である。
【図１１ａ】本発明の第１１実施形態に係るマットレス用ポケットスプリングを示す斜視図である。
【図１１ｂ】本発明の第１１実施形態に係るマットレス用ポケットスプリングを示す側断面図である。
【図１１ｃ】本発明の第１１実施形態に係るポケットスプリングが適用されたマットレスの構造を示す一部断面斜視図である。
【図１２ａ】本発明の第１２実施形態に係るマットレス用ポケットスプリングを示す斜視図である。
【図１２ｂ】本発明の第１２実施形態に係るマットレス用ポケットスプリングを示す側断面図である。
【図１２ｃ】本発明の第１２実施形態に係るポケットスプリングが適用されたマットレスの構造を示す一部断面斜視図である。
【図１３ａ】本発明の第１３実施形態に係るマットレス用ポケットスプリングを示す斜視図である。
【図１３ｂ】本発明の第１３実施形態に係るマットレス用ポケットスプリングを示す側断面図である。
【図１３ｃ】本発明の第１３実施形態に係るポケットスプリングが適用されたマットレスの構造を示す一部断面斜視図である。
【図１４ａ】本発明の第１４実施形態に係るマットレス用ポケットスプリングを示す斜視図である。
【図１４ｂ】本発明の第１４実施形態に係るマットレス用ポケットスプリングを示す側断面図である。
【図１４ｃ】本発明の第１４実施形態に係るポケットスプリングが適用されたマットレスの構造を示す一部断面斜視図である。
【図１５ａ】従来のポケットスプリングを示す斜視図である。
【図１５ｂ】従来のポケットスプリングを示す側断面図である。
【図１５ｃ】従来のポケットスプリングが適用されたマットレスの構造を説明する一部断面斜視図である。
【発明を実施するための形態】
【００３３】
本発明の上記目的、特徴及び利点は、添付図面とともに本発明の好ましい一実施形態の下記の詳細な記述から明らかになるだろう。
【００３４】
以下、本発明の好ましい実施形態を、添付図面を参照して詳細に説明する。
【００３５】
上述したように、ポケットスプリング１０は、織物地で形成されたポケット１４と、このポケット１４内に設けられ、かつポケット１４内に密封されたスプリング１２とを含む。
【００３６】
このようなポケットスプリング１０をマットレス全体の領域にわたって左右等間隔（規則的な間隔で）で配列させ、中間部材１６としてエアバンドフォーム、メモリーフォーム、フェルト及び不織布などを含む多層クッション手段をポケットスプリング１０の上方に積層した後、ポケットスプリング１０及び中間部材１６をカバー部材１８で覆って密封（縫合処理）することにより、ポケットスプリング１０が内部に設けられたマットレスが完成する。
【００３７】
本発明は、ポケットスプリング１０のポケット１４内に設けられたスプリング１２の一部領域に、別途の剛性支持体３０が一体に形成された、寝具（ベッド）用マットレスのためのポケットスプリング１０を提供することを目的とする。
【００３８】
したがって、本発明によれば、小さい荷重がマットレスに作用する場合、スプリングの上方に積層された中間部材１６がその衝撃を吸収するため、剛性支持体３０によってスプリング１２が圧縮されない。一方、大きい荷重が作用する場合、中間部材１６と、剛性支持体３０を有するスプリング１２とが圧縮され、その衝撃を容易に吸収できる。
【００３９】
このように、結果として、大きい荷重及び小さい荷重が剛性支持体３０によって分散されて、ポケット内のスプリングが圧縮されることにより、スプリングの変形を防止することができ、かつ、スプリングの耐久性向上が達成できる。
【００４０】
[１．第１実施形態]
本発明の第１実施形態に係るマットレス用ポケットスプリングの構造及び作用状態を図１ａから図１ｃを参照して説明する。
【００４１】
本発明の第１実施形態に係るポケットスプリング１０は、織物地で形成されたポケット１４と、このポケット１４内に設けられ、かつポケット１４内に密封されたスプリング１２とを含み、スプリングの上部領域に剛性支持体３０が一体に形成されている。
【００４２】
すなわち、ポケット１４内に設けられ、ポケット１４内に密封された本発明の第１実施形態に係るスプリング１２は、本体スプリング２０と、本体スプリング２０の最上端巻線２２の終端部で巻きながら水平に広がる上端スプリング２４と、本体スプリング２０の最下端巻線２６の終端部で巻きながら水平に広がる下端スプリング２８と、を含むことができる。特に、剛性支持体３０は、垂直に配置された状態で、本体スプリング２０の最上端巻線２２にのみ一体に形成される。本体スプリング２０は、上下方向に一定の直径を有するコイル形態、中央部から上部及び下部に向かってその直径が次第に小さくなるコイル形態、または中央部から上部及び下部に向かってその直径が次第に大きくなるコイル形態を有する。
【００４３】
好ましくは、剛性支持端３０は、剛性支持体３０の上端及び下端が一体に形成されかつ垂直に配置された状態で、本体スプリング２０の全領域内で、上端スプリング２４に連結される最上端巻線２２の中間に一体に形成される。
【００４４】
したがって、小さい荷重（使用者が寝返りを打つ程度の荷重）がマットレスに付加された場合、その衝撃がポケットスプリング１０の上方に積層された中間部材１６（エアバンドフォーム、メモリーフォーム、フェルト及び不織布などを含む多層クッション手段）で吸収され、上記剛性支持体３０で小さい荷重に耐えることにより、小さい荷重に起因する圧縮強度がポケット１４内のスプリング１２に伝達するのを遮断する。
【００４５】
ここで、剛性支持体３０によって、小さい荷重に起因する圧縮強度がスプリング１２に伝達するのを遮断されるため、スプリング１２が大きく変形されることなく、スプリング１２は保護された状態となる。その結果、ポケット１４内のスプリング１２の変形防止及びスプリング１２の耐久性向上を達成できる。
【００４６】
一方、大きい荷重（使用者が急に座るなどの荷重）がマットレスに付加された場合、大きい荷重に起因する圧縮強度が剛性支持体３０を介してポケット１４内のスプリング１２まで伝達され、スプリング１２を構成する本体スプリング２０が圧縮されてその衝撃が吸収されるため、結果として、緩衝力を提供する本体スプリング２０の本来の機能を発揮させることができる。
【００４７】
このように、マットレスに付加される荷重の大きさに基づいて、圧縮強度に耐える剛性支持体３０の度合いが異なるため、ポケットスプリング１０の衝撃緩衝機能は、付加される荷重の大きさに基づいて明確に分類される。したがって、付加される荷重にしたがって、使用者に適した弾性及び快適性を使用者に提供することができる。特に、付加される荷重に基づいて、スプリング１２及ポケット１４が剛性支持体３０によって別々に動作することにより、スプリング１２の変形防止及びスプリング１２の耐久性向上を達成できる。
【００４８】
[２．第２実施形態]
本発明の第２実施形態に係るマットレス用ポケットスプリングの構造及び作用状態を図２ａから図２ｃを参照して説明する。
【００４９】
本発明の第２実施形態に係るポケットスプリング１０は、織物地で形成されたポケット１４と、このポケット１４内に設けられ、かつポケット１４内に密封されたスプリング１２とを含み、スプリングの下部領域に剛性支持体３０が一体に形成されている。
【００５０】
すなわち、ポケット１４内に設けられ、かつポケット１４内に密封された本発明の第２実施形態に係るスプリング１２は、本体スプリング２０と、上記本体スプリング２０の最上端巻線２２の終端部で巻きながら水平に広がる上端スプリング２４と、本体スプリング２０の最下端巻線２６の終端部で巻きながら水平に広がる下端スプリング２８と、を含む。特に、剛性支持体３０は、垂直に配置された状態で、本体スプリング２０の最下端巻線２６にのみ一体に形成される。スプリング２０は、上下方向に一定の直径を有するコイル形態、中央部から上部及び下部に向かってその直径が次第に小さくなるコイル形態、または中央部から上部及び下部に向かってその直径が次第に大きくなるコイル形態を有する。
【００５１】
好ましくは、剛性支持端３０は、垂直に配置された状態で、本体スプリング２０の全領域内で、下端スプリング２８に連結される最下端巻線２６の中間に一体に形成される。
【００５２】
したがって、小さい荷重（使用者が寝返りを打つ程度の荷重）がマットレスに付加された場合、その衝撃をポケットスプリング１０上に積層された中間部材１６（エアバンドフォーム、メモリーフォーム、フェルト及び不織布などを含む多層クッション手段）で緩衝するとともに、ポケット１４内に設けられたスプリング１２の本体スプリング２０によって、小さい荷重を速やかに吸収する。
【００５３】
一方、マットレスに大きい荷重（使用者が急に座るなどの荷重）が付加された場合、大きい荷重に起因する圧縮強度が中間部材１６で最初に吸収されるとともに、ポケット１４内のスプリング１２まで伝達され、その衝撃によってスプリング１２を構成する本体スプリング２０が圧縮されて、衝撃が速やかに吸収される。
【００５４】
すなわち、大きい荷重がマットレスに作用する場合、その衝撃は、スプリング１２を構成する本体スプリング２０まで伝達されるが、本体スプリング２０の下部に一体に形成された剛性支持体３０が本体スプリング２０を支持することにより、緩衝力を提供するポケットスプリング１０の本来の機能が発揮される。すなわち、スプリング１２は剛性支持体３０により支持されるため、大きく変形されることがなく、スプリング１２は保護された状態となるため、上述と同様に、ポケット１４内のスプリング１２の変形防止及びスプリング１２の耐久性向上を達成できる。
【００５５】
[３．第３実施形態]
本発明の第３実施形態に係るマットレス用ポケットスプリングの構造及び作用状態を図３ａから図３ｃを参照して説明する。
【００５６】
本発明の第３実施形態に係るポケットスプリング１０は、織物地で形成されたポケット１４と、このポケット１４内に設けられ、かつポケット１４内に密封されたスプリング１２とを含み、スプリングの上部領域及び下部領域の両方ともに剛性支持体３０が一体に形成される。
【００５７】
すなわち、ポケット１４内に設けられ、かつポケット１４内に密封された本発明の第３実施形態に係るスプリング１２は、本体スプリング２０と、この本体スプリング２０の最上端巻線２２の終端部で巻きながら水平に広がる上端スプリング２４と、上記本体スプリング２０の最下端巻線２６の終端部で巻きながら水平に広がる下端スプリング２８とを含む。特に、剛性支持体３０は、垂直に配置された状態で、本体スプリング２０の最上端巻線２２及び最下端巻線２６の両方と一体に形成される。スプリング２０は、上下方向に一定の直径を有するコイル形態、中央部から上部及び下部に向かってその直径が次第に小さくなるコイル形態、または中央部から上部及び下部に向かってその直径が次第に大きくなるコイル形態を有する。
【００５８】
より詳しくは、本発明の第３実施形態に係る剛性支持体３０は、垂直に配置された状態で、本体スプリング２０の最上端巻線２２に一体に形成される第１剛性支持体３０ａと、垂直に配置された状態で、本体スプリング２０の最下端巻線２６に一体に形成される第２剛性支持体３０ｂとを含む。
【００５９】
好ましくは、第１剛性支持体３０ａは、本体スプリング２０の全領域内で、垂直に配置された状態で、上端スプリング２４に連結される最上端巻線２２と中間巻線２５との中間にその上端及び下端が一体に形成されており、第２剛性支持体３０ｂは、本体スプリング２０の全領域内で、垂直に配置された状態で、下端スプリング２８に連結される最下端巻線２６と中間巻線２５との中間にその上端及び下端が一体に形成されている。
【００６０】
したがって、マットレスに小さい荷重（使用者が寝返りを打つ程度の荷重）が付加された場合、その衝撃がポケットスプリング１０上に積層された中間部材１６（エアバンドフォーム、メモリーフォーム、フェルト及び不織布などを含む多層クッション手段）によって吸収されて、上記剛性支持体３０のうちの第１剛性支持体３０ａで小さい荷重に耐え、ポケット１４内のスプリング１２への小さい荷重に起因する圧縮強度の伝達を遮断する。
【００６１】
ここで、マットレスに小さい荷重が作用する場合、第１剛性支持体３０ａによって、スプリング１２への小さい荷重に起因する圧縮強度の伝達が遮断されるため、スプリング１２は大きく変形されることがなく、スプリング１２は保護された状態となる。その結果、ポケット１４内のスプリング１２の変形防止及びスプリング１２の耐久性向上を図ることができる。
【００６２】
一方、マットレスに大きい荷重（使用者が急に座るなどの荷重）が付加された場合、大きい荷重に起因する圧縮強度が第１剛性支持体３０ａを介してポケット１４内のスプリング１２まで伝達されるとともに、その衝撃はスプリング１２を構成する本体スプリング２０の圧縮によって吸収され、かつ、第２剛性支持体３０ｂによって本体スプリング２０が支持されることにより、緩衝力を提供するポケットスプリング１０の本来の機能が発揮されるだけでなく、第２剛性支持体３０ｂの支持によって、スプリング１２の変形が発生することがなく、スプリング１２が保護された状態となる。
【００６３】
このように、マットレスに加えられる荷重の大きさに応じて、第１剛性支持体３０ａによって、大きい荷重に対する衝撃吸収過程と小さい荷重に対する衝撃吸収過程とを明確に区別されたうえで、ポケットスプリング１０の衝撃緩衝機能が発揮される。また、大きい荷重の作用時、第２剛性支持体３０ｂの支持によって、ポケットスプリング１０が全体的に保護された状態となる。このように、大きい荷重と小さい荷重とが区別されることにより、使用者に良好な弾性感及び寝心地を提供でき、ポケット内のスプリングに対する変形防止及びスプリングの耐久性向上を達成できる。
【００６４】
[４．第４実施形態]
本発明の第４実施形態に係るマットレス用ポケットスプリングの構造及び作用状態を図４ａから図４ｃを参照して説明する。
【００６５】
本発明の第４実施形態に係るポケットスプリング１０のスプリング１２は、本体スプリング２０と、この本体スプリング２０の最上端巻線２２の終端部で巻きながら水平に広がる上端スプリング２４と、上記本体スプリング２０の最下端巻線２６の終端部で巻きながら水平に広がる下端スプリング２８とを含む。特に、剛性支持体３０は、垂直に配置された状態で、本体スプリング２０の中間巻線２５にのみ一体に形成される。スプリング２０は、上下方向に一定の直径を有するコイル形態、中央部から上部及び下部に向かってその直径が次第に小さくなるコイル形態、または中央部から上部及び下部に向かってその直径が次第に大きくなるコイル形態を有する。
【００６６】
好ましくは、上記剛性支持体３０は、本体スプリング２０の全領域内で、垂直に配置された状態で、スプリング１２の中央部を構成する中間巻線２５にその上端及び下端が一体に形成される。
【００６７】
したがって、マットレスに小さい荷重（使用者が寝返りを打つ程度の荷重）が付加された場合、その衝撃が、ポケットスプリング１０上に積層された中間部材１６（エアバンドフォーム、メモリーフォーム、フェルト及び不織布などを含む多層クッション手段）が吸収され、一方、マットレスに大きい荷重（使用者が急に座るなどの荷重）が付加された場合、中間部材１６で衝撃が最初に吸収された後、ポケット１４内のスプリング１２まで該衝撃が伝達され、次いで、該衝撃によって、スプリング１２を構成する本体スプリング２０の上部側の最上端巻線２２が圧縮されて、該衝撃が速やかに吸収される。
【００６８】
また、大きい荷重がマットレスに作用する場合、その衝撃がスプリング１２を構成する本体スプリング２０まで伝達されるが、本体スプリング２０の中央部に一体に形成された剛性支持体３０が本体スプリング２０を支持することにより、緩衝力を提供するポケットスプリング１０の本来の機能が発揮される。すなわち、スプリング１２は剛性支持体３０により支持されるため、大きく変形されることがなく、スプリング１２は保護された状態となる。このため、上述と同様に、ポケット１４内のスプリング１２の変形防止及びスプリング１２の耐久性向上を達成できる。
【００６９】
[５．第５実施形態]
本発明の第５実施形態に係るマットレス用ポケットスプリングの構造及び作用状態を図５ａから図５ｃを参照して説明する。
【００７０】
本発明の第５実施形態に係るポケットスプリング１０は、織物地で形成されたポケット１４と、このポケット１４内に設けられ、かつポケット１４内に密封されたスプリング１２とを含み、スプリングの上部領域において、本体スプリング２０の中間巻線２５と最上端巻線２２との間の巻線に剛性支持体３０が一体に形成される。
【００７１】
すなわち、ポケット１４内に設けられ、かつポケット１４内に密封された本発明の第５実施形態に係るスプリング１２は、本体スプリング２０と、この本体スプリング２０の最上端巻線２２の終端部で巻きながら水平に広がる上端スプリング２４と、上記本体スプリング２０の最下端巻線２６の終端部で巻きながら水平に広がる下端スプリング２８と、を含む。特に、剛性支持体３０は、垂直に配置された状態で、本体スプリング２０の中間巻線２５と最上端巻線２２との間にのみ一体に形成される。スプリング２０は、上下方向に一定の直径を有するコイル形態、中央部から上部及び下部に向かってその直径が次第に小さくなるコイル形態、または中央部から上部及び下部に向かってその直径が次第に大きくなるコイル形態を有する。
【００７２】
好ましくは、剛性支持体３０は、本体スプリング２０の全領域内で、垂直に配置された状態で、中間巻線２５と最上端巻線２２との間に一体に形成され、その下端は中間巻線２５の終端部に一体に連結され、かつ、その上端は最上端巻線２２の始端部に一体に連結される。
【００７３】
したがって、マットレスに小さい荷重（使用者が寝返りを打つ程度の荷重）が付加された場合、その衝撃は、ポケットスプリング１０上に積層された中間部材１６（エアバンドフォーム、メモリーフォーム、フェルト及び不織布などを含む多層クッション手段）で吸収され、剛性支持体３０で小さい荷重に耐え、ポケット１４内のスプリング１２への小さい荷重に起因する圧縮強度の伝達を遮断する。
【００７４】
ここで、小さい荷重が作用する場合、上記剛性支持体３０でスプリング１２への小さい荷重に起因する圧縮強度の伝達を遮断するため、スプリング１２は大きく変形されることがなく、スプリング１２は保護された状態となる。その結果、ポケット１４内のスプリング１２の変形防止及びスプリング１２の耐久性向上を達成できる。
【００７５】
一方、マットレスに大きい荷重（使用者が急に座るなどの荷重）が付加された場合、大きい荷重に起因する圧縮強度が剛性支持体３０を介してポケット１４内のスプリング１２に伝達されるとともに、その衝撃は、スプリング１２を構成する本体スプリング２０の圧縮により吸収されるため、その結果、ポケットスプリング１０の本来の機能が発揮される。
【００７６】
上述と同様に、本発明の第５実施形態によれば、ポケットスプリングを構成する本体スプリング２０の中間巻線２５と最上端巻線２２との間に剛性支持体３０を一体に形成することにより、剛性支持体３０によって、大きい荷重に対する衝撃吸収過程と小さい荷重に対する衝撃吸収過程とが明確に区別されて、ポケットスプリング１０の衝撃緩衝機能が発揮される。また、大きい荷重と小さい荷重とが区別されることにより、使用者に良好な弾性感及び寝心地を提供できる。特に、剛性支持体３０によって、ポケット１４内のスプリング１２の弾性圧縮動作が、荷重の大きさに応じて明確に区別されて作動するため、スプリング１２の変形防止及びスプリング１２の耐久性向上を達成できる。
【００７７】
[６．第６実施形態]
本発明の第６実施形態に係るマットレス用ポケットスプリングの構造及び作用状態を図６ａから図６ｃを参照して説明する。
【００７８】
本発明の第６実施形態に係るポケットスプリング１０は、織物地で形成されたポケット１４と、このポケット１４内に設けられ、かつポケット１４内に密封されたスプリング１２とを含み、スプリングの下部領域において、本体スプリング２０の中間巻線２５と最下端巻線２６との間に剛性支持体３０が一体に形成される。
【００７９】
すなわち、ポケット１４内に設けられ、かつポケット１４内に密封された本発明の第６実施形態に係るスプリング１２は、本体スプリング２０と、この本体スプリング２０の最上端巻線２２の終端部で巻きながら水平に広がる上端スプリング２４と、上記本体スプリング２０の最下端巻線２６の終端部で巻きながら水平に広がる下端スプリング２８とを含む。特に、剛性支持体３０は、垂直に配置された状態で、本体スプリング２０の中間巻線２５と最下端巻線２６との間にのみ一体に形成される。スプリング２０は、上下方向に一定の直径を有するコイル形態、中央部から上部及び下部に向かってその直径が次第に小さくなるコイル形態、または中央部から上部及び下部に向かってその直径が次第に大きくなるコイル形態を有する。
【００８０】
好ましくは、上記剛性支持体３０は、垂直に配置された状態で、本体スプリング２０の全領域内で、中間巻線２５と最下端巻線２６との間に一体に形成され、その上端は中間巻線２５の終端部に一体に連結され、かつ、その下端は最下端巻線２６の始端部に一体に連結される。
【００８１】
したがって、マットレスに小さい荷重（使用者が寝返りを打つ程度の荷重）が付加された場合、その衝撃は、ポケットスプリング１０上に積層された中間部材１６（エアバンドフォーム、メモリーフォーム、フェルト及び不織布などを含む多層クッション手段）に吸収されるとともに、ポケット１４内に設けられたスプリング１２の本体スプリング２０の上側巻線、すなわち、剛性支持体３０の上側の最上端巻線２２で小さい荷重が速やかに吸収される。
【００８２】
一方、マットレスに大きい荷重（使用者が急に座るなどの荷重）が付加された場合、その衝撃によって、スプリング１２を構成する本体スプリング２０が圧縮されて速やかに吸収される。この場合、大きい荷重による衝撃が、スプリング１２を構成する本体スプリング２０まで伝達されるが、本体スプリング２０の中間巻線２５と最下端巻線２６との間に一体に形成される剛性支持体３０によって、本体スプリング２０が支持されることにより、緩衝力を提供するポケットスプリング１０の本来の機能が発揮される。すなわち、スプリング１２が、剛性支持体３０に支持されるため、大きく変形されることがなく、スプリング１２は保護された状態となるため、上述と同様に、ポケット１４内のスプリング１２の変形防止及びスプリング１２の耐久性向上を達成できる。
【００８３】
[７．第７実施形態]
本発明の第７実施形態に係るマットレス用ポケットスプリングの構造及び作用状態を図７ａから図７ｃを参照して説明する。
【００８４】
本発明の第７実施形態に係るポケットスプリング１０は、織物地で形成されたポケット１４と、このポケット１４内に設けられ、かつポケット１４内に密封されたスプリング１２とを含み、スプリング１２の上部領域において、本体スプリング２０の中間巻線２５と最上端巻線２２との間、及びスプリング１２の下部領域において、中間巻線２５と最下端巻線２６との間の巻線に剛性支持体３０が一体に形成される。
【００８５】
すなわち、ポケット１４内に設けられ、かつポケット１４内に密封された本発明の第７実施形態に係るスプリング１２は、本体スプリング２０と、この本体スプリング２０の最上端巻線２２の終端部で巻きながら水平に広がる上端スプリング２４と、上記本体スプリング２０の最下端巻線２６の終端部で巻きながら水平に広がる下端スプリング２８とを含む。特に、剛性支持体３０は、垂直に配置された状態で、本体スプリング２０の中間巻線２５と最上端巻線２２との間の領域に一体に形成される第１剛性支持体３０ａと、垂直に配置された状態で、中間巻線２５と最下端巻線２６との間の領域に一体に形成される第２剛性支持体３０ｂとを含む。スプリング２０は、上下方向に一定の直径を有するコイル形態、中央部から上部及び下部に向かってその直径が次第に小さくなるコイル形態、または中央部から上部及び下部に向かってその直径が次第に大きくなるコイル形態を有する。
【００８６】
好ましくは、第１剛性支持体３０ａは、垂直に配置された状態で、本体スプリング２０の全領域内で、中間巻線２５の上端の終端部にその下端が一体に連結され、その上端が最上端巻線２２の始端部に一体に連結される。また、第２剛性支持体３０ｂは、垂直に配置された状態で、本体スプリング２０の全領域内で、中間巻線２５の下端の終端部にその上端が一体に連結され、その下端は最下端巻線２６の始端部に一体に連結される。
【００８７】
したがって、本発明の第７実施形態によれば、マットレスに小さい荷重（使用者が寝返りを打つ程度の荷重）が付加された場合、その衝撃は、ポケットスプリング１０上に積層された中間部材１６（エアバンドフォーム、メモリーフォーム、フェルト及び不織布などを含む多層クッション手段）で吸収され、上記剛性支持体３０のうちの第１剛性支持体３０ａで小さい荷重に耐え、ポケット１４内のスプリング１２への小さい荷重に起因する圧縮強度の伝達を遮断する。
【００８８】
ここで、マットレスに小さい荷重が作用する場合、第１剛性支持体３０ａの上側の最上端巻線２２でその衝撃が速やかに吸収されるとともに、第１剛性支持体３０ａの下方は、小さい荷重に起因する圧縮強度の伝達を遮断するため、スプリング１２は大きく変形されることがなく、スプリング１２は保護された状態となる。その結果、ポケット１４内のスプリング１２の変形防止及びスプリング１２の耐久性向上を達成できる。
【００８９】
一方、マットレスに大きい荷重（使用者が急に座るなどの荷重）が付加された場合、大きい荷重に起因する圧縮強度が第１剛性支持体３０ａを介してポケット１４内のスプリング１２まで伝達されるとともに、その衝撃が、スプリング１２を構成する本体スプリング２０の圧縮により吸収され、かつ、第２剛性支持体３０ｂによって本体スプリング２０が支持される。これにより、ポケットスプリング１０の本来の機能が発揮されるだけでなく、スプリング１２は第２剛性支持体３０ｂに支持されるため、スプリング１２の変形が発生することがなく、スプリング１２は保護された状態となる。
【００９０】
このように、マットレスに加えられる荷重の大きさに応じて、第１剛性支持体３０ａによって、大きい荷重に対する衝撃吸収過程と小さい荷重に対する衝撃吸収過程とが明確に区別されて、ポケットスプリング１０の衝撃緩衝機能が発揮される。また、大きい荷重の作用時、第２剛性支持体３０ｂの支持によって、ポケットスプリング１０が全体的に保護された状態となる。このように、大きい荷重と小さい荷重とが区別されることにより、使用者に良好な弾性感及び寝心地を提供でき、ポケット内のスプリングに対する変形防止及び耐久性向上を達成できる。
【００９１】
[８．第８〜１４実施形態]
本発明の第８実施形態から第１４実施形態に係るマットレス用ポケットスプリングの構造及び作用状態を図８ａから図１４ｃを参照して説明する。
【００９２】
本発明の第８実施形態から第１４実施形態に係るポケットスプリング１０は、第１実施形態に係るマットレス用ポケットスプリングと同様に、織物地で形成されたポケット１４と、このポケット１４内に設けられ、かつポケット１４内に密封されたスプリング１２と、を含み、スプリング１２を構成する本体スプリング２０に対して鈍角または鋭角に折り曲げられた剛性支持体３０が一体に形成される。
【００９３】
本発明の第８実施形態に係るポケットスプリングでは、剛性支持体３０が第１実施形態係るポケットスプリングの剛性支持体３０と同じ位置（最上端巻線）に形成され、図８ａから図８ｃに示すように、剛性支持体３０の上端及び下端がその連結部分に対して鈍角に折り曲げられて傾斜するように形成されてもよく、剛性支持体３０の上端及び下端がその連結部分に対して鋭角に折り曲げられて傾斜するように形成されてもよい（図示せず）。
【００９４】
本発明の第９実施形態に係るポケットスプリングでは、剛性支持体３０が第２実施形態に係るポケットスプリングの剛性支持体３０と同じ位置（最下端巻線）に形成され、図９ａから図９ｃに示すように、剛性支持体３０の上端及び下端がその連結部分に対して鈍角に折り曲げられて傾斜するように形成されてもよく、剛性支持体３０の上端及び下端がその連結部分に対して鋭角に折り曲げられて傾斜するように形成されてもよい（図示せず）。
【００９５】
本発明の第１０実施形態に係るポケットスプリングでは、剛性支持体３０が第３実施形態に係るポケットスプリングの剛性支持体３０と同じ位置（最上端巻線及び最下端巻線）に形成され、図１０ａから図１０ｃに示すように、第１剛性支持体３０ａ及び第２剛性支持体３０ｂの上端及び下端がその連結部分に対して鈍角に折り曲げられて傾斜するように形成されてもよく、第１剛性支持体３０ａ及び第２剛性支持体３０ｂの上端及び下端がその連結部分に対して鋭角に折り曲げられて傾斜するように形成されてもよい（図示せず）。
【００９６】
本発明の第１１実施形態に係るポケットスプリングでは、剛性支持体３０が第４実施形態に係るポケットスプリングの剛性支持体３０と同じ位置（本体スプリングの中間巻線）に形成され、図１１ａから図１１ｃに示すように、剛性支持体３０の上端及び下端がその連結部分に対して鈍角に折り曲げられて傾斜するように形成されてもよく、剛性支持体３０の上端及び下端がその連結部分に対して鋭角に折り曲げられて傾斜するように形成されてもよい（図示せず）。
【００９７】
本発明の第１２実施形態に係るポケットスプリングでは、剛性支持体３０が第５実施形態に係るポケットスプリングの剛性支持体３０と同じ位置（最上端巻線と中間巻線との間の巻線）に形成され、図１２ａから図１２ｃに示すように、剛性支持体３０の上端及び下端がその連結部分に対して鈍角に折り曲げられて傾斜するように形成されてもよく、剛性支持体３０の上端及び下端がその連結部分に対して鋭角に折り曲げられて傾斜するように形成されてもよい（図示せず）。
【００９８】
本発明の第１３実施形態に係るポケットスプリングでは、剛性支持体３０が第６実施形態に係るポケットスプリングの剛性支持体３０と同じ位置（最下端巻線と中間巻線との間の巻線）に形成され、図１２ａから図１２ｃに示すように、剛性支持体３０の上端及び下端がその連結部分に対して鈍角に折り曲げられて傾斜するように形成されてもよく、剛性支持体３０の上端及び下端がその連結部分に対して鋭角に折り曲げられて傾斜するように形成されてもよい（図示せず）。
【００９９】
本発明の第１４実施形態に係るポケットスプリングでは、剛性支持体３０が第７実施形態に係るポケットスプリングの剛性支持体３０と同じ位置（最上端巻線と中間巻線との間、及び最下端巻線と中間巻線との間）に形成され、図１４ａから図１４ｃに示すように、第１剛性支持体３０ａ及び第２剛性支持体３０ｂの上端及び下端がその連結部分に対して鈍角に折り曲げられて傾斜するように形成されてもよく、第１剛性支持体３０ａ及び第２剛性支持体３０ｂの上端及び下端がその連結部分に対して鋭角に折り曲げられて傾斜するように形成されてもよい（図示せず）。
【０１００】
第８実施形態から第１４実施形態に係るポケットスプリングによれば、剛性支持体３０が、その上端及び下端を鈍角または鋭角に折り曲げて傾斜した形状を有することにより、第１実施形態から第７実施形態に係るポケットスプリングの垂直型の剛性支持体に比べて垂直方向の剛性が少し弱くなるが、マットレスに加えられる荷重の大きさに応じて衝撃吸収過程が明確に区別されるとともに、さらに柔らかい衝撃吸収が可能になる。
【０１０１】
すなわち、第８実施形態から第１４実施形態に係るポケットスプリングの剛性支持体３０は、傾斜した状態であるため、剛性支持体３０そのものも荷重により一部が圧縮される機能を行うことができ、マットレスに加えられる荷重の大きさによる衝撃吸収過程をより明確に区別できるため、さらに柔らかい衝撃吸収機能を行うことになる。
【０１０２】
また、第８実施形態から第１４実施形態に係るポケットスプリングによれば、傾斜した形態の剛性支持体３０が大きい荷重と小さい荷重を区別することにより、使用者に良好な弾性感及び寝心地を提供でき、特に、剛性支持体３０によりポケット１４内のスプリング１２の弾性圧縮動作が、荷重の大きさに応じて明確に区別されて作動するため、スプリングの変形防止及び耐久性向上を達成できる。
【０１０３】
このように、上述の本発明の実施形態において、本発明のポケットスプリングを構成する本体スプリング２０に剛性支持体３０が一体に形成される各実施形態を説明したが、他の実施形態として、例えば、本体スプリング２０の中間巻線２５、最上端巻線２２、及び最下端巻線２６などに、全体で３つの剛性支持体３０を同時に形成してもよい。また、他の実施形態として、例えば、本体スプリング２０の中間巻線２５、中間巻線２５と最上端巻線２２との間、及び中間巻線と最下端巻線２６との間などに、全体で３つの剛性支持体３０を同時に形成してもよい。
【０１０４】
このように、本発明のポケットスプリングに適用された剛性支持体３０を、本体スプリング２０の最上端巻線２２、最下端巻線２６、最上端及び最下端巻線２２，２６、及び中間巻線２５などに形成することを説明したが、剛性支持体３０は、ポケットスプリング１０を構成する本体スプリング２０の如何なる領域にも形成することができる。
【０１０５】
以上のように、特定の具体的な実施形態を参照して本発明を説明したが、本発明は上記実施形態及び添付の特許請求の範囲に限定されない。当業者は、本発明の精神及び範囲から逸脱することなく上記実施形態を変更又は修正できることは理解されるべきである。
【符号の説明】
【０１０６】
１０  ポケットスプリング、１２  スプリング、１４  ポケット、１６  中間部材、１８  カバー部材、２０  本体スプリング、２２  最上端巻線、２４  上端スプリング、２５  中間巻線、２６  最下端巻線、２８  下端スプリング、３０  剛性支持体、３０ａ  第１剛性支持体、３０ｂ  第２剛性支持体。
【図１ａ】
2012086000.tif 000003
【図１ｂ】
2012086000.tif 000004
【図１ｃ】
2012086000.tif 000005
【図２ａ】
2012086000.tif 000006
【図２ｂ】
2012086000.tif 000007
【図２ｃ】
2012086000.tif 000008
【図３ａ】
2012086000.tif 000009
【図３ｂ】
2012086000.tif 000010
【図３ｃ】
2012086000.tif 000011
【図４ａ】
2012086000.tif 000012
【図４ｂ】
2012086000.tif 000013
【図４ｃ】
2012086000.tif 000014
【図５ａ】
2012086000.tif 000015
【図５ｂ】
2012086000.tif 000016
【図５ｃ】
2012086000.tif 000017
【図６ａ】
2012086000.tif 000018
【図６ｂ】
2012086000.tif 000019
【図６ｃ】
2012086000.tif 000020
【図７ａ】
2012086000.tif 000021
【図７ｂ】
2012086000.tif 000022
【図７ｃ】
2012086000.tif 000023
【図８ａ】
2012086000.tif 000024
【図８ｂ】
2012086000.tif 000025
【図８ｃ】
2012086000.tif 000026
【図９ａ】
2012086000.tif 000027
【図９ｂ】
2012086000.tif 000028
【図９ｃ】
2012086000.tif 000029
【図１０ａ】
2012086000.tif 000030
【図１０ｂ】
2012086000.tif 000031
【図１０ｃ】
2012086000.tif 000032
【図１１ａ】
2012086000.tif 000033
【図１１ｂ】
2012086000.tif 000034
【図１１ｃ】
2012086000.tif 000035
【図１２ａ】
2012086000.tif 000036
【図１２ｂ】
2012086000.tif 000037
【図１２ｃ】
2012086000.tif 000038
【図１３ａ】
2012086000.tif 000039
【図１３ｂ】
2012086000.tif 000040
【図１３ｃ】
2012086000.tif 000041
【図１４ａ】
2012086000.tif 000042
【図１４ｂ】
2012086000.tif 000043
【図１４ｃ】
2012086000.tif 000044
【図１５ａ】
2012086000.tif 000045
【図１５ｂ】
2012086000.tif 000046
【図１５ｃ】
2012086000.tif 000047